(57)【特許請求の範囲】
【請求項１】
対向位置の縦方向に二つ折り扁平重合するための縦折り縁を形成した筒状の胴周部材と、前記縦折り縁を形成した対向方向に沿った中央横断方向に中央折り縁を形成した平板状の底部材とから成り、前記底部材の中央折り縁を境にした対向位置に屈曲自在な突出端部を突出形成し、この突出端部を前記胴周部材の底部内面に止着し、前記縦折り縁並びに中央折り縁を介して前記胴周部材及び前記底部材を夫々二つ折り重合させることで、二つ折りされる前記胴周部材間に前記底部材の前記中央折り縁が底方向と反対の上方向に上昇し山折りに二つ折りされる前記底部材が挟持状態となって、扁平状態に折り畳まれるように構成し、逆にこの折り畳み扁平状態から前記底部材を平板状に展開することで前記胴周部材は筒状となって、底付容体又は底部材を蓋板とした蓋が形成されるように構成し、前記胴周部材の底部に平板状態とした前記底部材が前記底方向へ過移動することを阻止する底部材用係止部を設け、この底部材用係止部は、前記胴周部材の底部内面に所定厚の帯板状の前記係止部形成用部材を止着して、この係止部形成用部材の前記胴周部材の底部内面より厚み分突出した上縁部で構成し、この上縁部が前記底部材用係止部となる前記係止部形成用部材と前記胴周部材との間隙に、前記底部材の対向位置に設けた前記突出端部を差し込み止着したことを特徴とする折り畳み容器又は折り畳み蓋。
【発明の詳細な説明】
【０００１】
【発明の属する技術分野】
本発明は、折り畳み容器又は折り畳み蓋に関するものである。
【０００２】
【従来の技術及び発明が解決しようとする課題】
従来から色々な折り畳み容器が提案されているが、本発明は、極めて容易に折り畳み・展開操作することができ、コンパクトな折り畳み状態とすることで、搬送コストをより安価に抑えることを実現し得る簡易構造の画期的な折り畳み容器又は折り畳み蓋を提供することを目的としている。
【０００３】
【課題を解決するための手段】
添付図面を参照して本発明の要旨を説明する。
【０００４】
対向位置の縦方向に二つ折り扁平重合するための縦折り縁６を形成した筒状の胴周部材１と、前記縦折り縁６を形成した対向方向に沿った中央横断方向に中央折り縁３を形成した平板状の底部材２とから成り、前記底部材２の中央折り縁３を境にした対向位置に屈曲自在な突出端部２Ａを突出形成し、この突出端部２Ａを前記胴周部材１の底部内面に止着し、前記縦折り縁６並びに中央折り縁３を介して前記胴周部材１及び前記底部材２を夫々二つ折り重合させることで、二つ折りされる前記胴周部材１間に前記底部材２の前記中央折り縁３が底方向と反対の上方向に上昇し山折りに二つ折りされる前記底部材２が挟持状態となって、扁平状態に折り畳まれるように構成し、逆にこの折り畳み扁平状態から前記底部材２を平板状に展開することで前記胴周部材１は筒状となって、底付容体４又は底部材２を蓋板５Ａとした蓋５が形成されるように構成し、前記胴周部材１の底部に平板状態とした前記底部材２が前記底方向へ過移動することを阻止する底部材用係止部７を設け、この底部材用係止部７は、前記胴周部材１の底部内面に所定厚の帯板状の前記係止部形成用部材７Ａを止着して、この係止部形成用部材７Ａの前記胴周部材１の底部内面より厚み分突出した上縁部７Ｂで構成し、この上縁部７Ｂが前記底部材用係止部７となる前記係止部形成用部材７Ａと前記胴周部材１との間隙に、前記底部材２の対向位置に設けた前記突出端部２Ａを差し込み止着したことを特徴とする折り畳み容器又は折り畳み蓋に係るものである。
【０００５】
【発明の実施の形態】
好適と考える本発明の実施の形態（発明をどのように実施するか）を、図面に基づいてその作用効果を示して簡単に説明する。
【０００６】
底（底部材２）付容体４又は底部材２を蓋板５Ａとした蓋５の平板状の底部材２を中央折り縁３を介して二つ折り重合すると、この底部材２の対向位置の突出端部２Ａを止着した胴周部材１が縦折り縁６を介して二つ折り重合され、この二つ折りされる胴周部材１間に二つ折りした前記底部材２が挟持状態となって底付容体４又は底部材２を蓋板５Ａとした蓋５が扁平状態に折り畳まれる。
【０００７】
また、この折り畳み扁平状態から底部材２を平板状に展開すると、この底部材２の突出端部２Ａを止着した胴周部材１が筒状となって、底付容体４又は底部材２を蓋板５Ａとした蓋５が形成される。
【０００８】
この際、平板状に展開した底部材２が底部材用係止部７に係止することで底部材２が底方向へ折り返されて突出することが確実に防止され、無造作に底部材２を底方向に押動しても、確実に底部材２は平板状に展開・位置決めされて確実に底付容体４又は蓋５を形成することとなる。
【０００９】
従って、単に平板状の底部材２を二つ折り重合するだけで、扁平折り畳み状態にできるし、この扁平折り畳み状態から、単に底部材２を底方向へ押し開して平板状に展開するだけのワンタッチ操作で、底付容体４又は底部材２を蓋板５Ａとする蓋５を形成することができる極めて折り畳み・展開操作性に秀れた折り畳み容器又は折り畳み蓋となる。
【００１０】
よって、簡易に折り畳んでかさばらない状態にできるので、この折り畳み扁平状態とした製品を多量に梱包・搬送可能で搬送コストを安価に抑えることができるし、搬送先では折り畳み扁平状態から簡易に展開して底付容体４又は蓋５を形成することができる極めて実用性に秀れた折り畳み容器又は折り畳み蓋となる。
【００１１】
また、本発明の折り畳み容器又は折り畳み蓋は、単に中央折り縁３を有する底部材２と縦折り縁６を有する筒状の胴周部材１と前記底部材用係止部７を形成する係止部形成用部材７Ａとの三部材で成り、この底部材２の対向位置の突出端部２Ａを胴周部材１の底部内面と係止部形成用部材７Ａとの間に差し込んで止着するだけの簡易な構造のため、この構成は容易に設計実現可能な構成であり、量産性に秀れ安価な製品を提供可能となる。
【００１２】
また、本発明は、前記胴周部材１の底部内面に所定厚の帯板状の前記係止部形成用部材７Ａを止着し、この係止部形成用部材７Ａの前記胴周部材１の底部内面より厚み分突出した上縁部７Ｂを前記底部材用係止部７とするから、単に厚みのある帯板を胴周部材１の底部内面に止着するだけで、前記作用効果を確実に発揮する前記底部材用係止部７を容易に形成することができ、しかもこの帯板の厚みを厚くすることで底部材２の係止強度を更に高めることも容易に可能となり、また、この係止部形成用部材７Ａは前記底部材２の突出端部２Ａを差し込み止着するための間隙形成部材となるなど、一層実用的となる。
【００１３】
【実施例】
本発明の具体的な実施例について図面に基づいて説明する。
【００１４】
本実施例は、円筒型（わっぱ型）の容器に本発明を適用している。
【００１５】
具体的には、容器の周壁部を形成する筒状の胴周部材１と、平板状の底部材２とから成る底付容体４を構成している。
【００１６】
この胴周部材１について説明すると、屈曲並びにたわみ変形可能な柔軟性を有する帯板により構成し、この帯板の両端部を接着することで円筒状に形成している。
【００１７】
更に詳しく説明すると、この胴周部材１を構成する帯板は、一枚の紙材を二つ折りして帯板状に形成し、この二つ折り（二重）構造の筒状胴周部材１を構成することで適度な強度（保形性）を有するように構成している。
【００１８】
また、この円筒状の胴周部材１の対向位置には、縦方向に縦折り縁６を形成し、この夫々の縦折り縁６を介して胴周部材１を扁平状態に二つ折り重合し得る構成としている。
【００１９】
また、本実施例の胴周部材１は、波型形状に形成して外側面と内側面とに上下方向に長さのある多数の折り曲げ縁８を有するように構成し、この多数の折り曲げ縁８を有することにより、胴周部材１を湾曲状に展開折曲することが容易にできるため、扁平折り合わせ状態から胴周部材１を形の良い円筒状にスピーディーに展開することができるように構成している。
【００２０】
尚、図示していないが、例えば胴周部材１の内周面において、上下方向に切り込み（直線スリッター罫線）を所定間隔を置いて複数設け、この切り込みによって胴周部材１を容易に湾曲状に展開折曲できるように構成しても良い。
【００２１】
底部材２について説明すると、屈曲可能な円盤型平板により構成し、その大きさ（径）を、円筒状の胴周部材１の内径と略合致する径寸法に設定して、胴周部材１内に丁度嵌挿し得るように構成している。
【００２２】
更に詳しく説明すると、この底部材２は紙材製としている。また、この底部材２には、その中央横断方向（直径）に沿って中央折り縁３を形成し、この中央折り縁３を介して底部材２を二つ折り重合し得るように構成している。
【００２３】
この胴周部材１と底部材２との止着構造について説明すると、底部材２の対向位置の突出端部２Ａを胴周部材１の底部内面に止着している。
【００２４】
具体的には、底部材２の中央折り縁３を境にした対向位置の突出端部２Ａを胴周部材１の底部内面に折り曲げ止着する構成としている。
【００２５】
更に詳しく説明すると、底部材２の中央折り縁３を境にした対向縁部に、前記突出端部２Ａとしての突片２Ａをこの底部材２に対して屈曲自在に突出形成し、この突出端部２Ａ（突片２Ａ）を胴周部材１の前記縦折り縁６の対向位置と直交する対向位置にホッチキスや接着剤などを利用した簡易止着手段により止着した構成としている。
【００２６】
即ち、胴周部材１の前記縦折り縁６と底部材２の前記中央折り縁３とが同一平面上に位置するようにして胴周部材１に対し底部材２を止着している。
【００２７】
従って、本実施例では、この縦折り縁６並びに中央折り縁３を介して前記胴周部材１及び前記底部材２を夫々二つ折り重合させることで、二つ折りされる前記胴周部材１間に二つ折りされる前記底部材２が挟持状態となって、扁平状態に折り畳まれるように構成し、逆にこの折り畳み扁平状態から前記底部材２を平板状に展開することで前記胴周部材１は筒状となって、底付容体４が形成されるように構成している。
【００２８】
即ち、図３に示すように底部材２を中央折り縁３を介して山折りすると、これに連動して中央折り縁３を境にした対向位置の突出端部２Ａが胴周部材１との止着部分を内側へ引き寄せることになるので、底部材２が扁平状態に折り合わされると共に、胴周部材１が縦折り縁６を介して折り合わせ重合（二つ折り重合）され、この二つ折りされる胴周部材１間に二つ折りされる底部材２が挟持状態となって扁平状態に折り畳まれることとなり、逆に、この扁平折り畳み状態から、底部材２を平板状に展開すると、これに連動して、底部材２の突出端部２Ａが胴周部材１との止着部分を外側へ押動することになるので、底部材２が平板状に展開されるに従い、胴周部材１は筒状に展開されて、底付容体４が形成されることとなる構成としている。
【００２９】
従って、本実施例では二つ折りするための縦折り縁６を備えた胴周部材１と、二つ折りするための中央折り縁３を備えた底部材２とを、この縦折り縁６と中央折り縁３とが同一平面上に位置するようにして二点支持止着しただけの簡易な折り畳み容器構造のため、この構成は簡易に設計実現可能であり、しかも、この胴周部材１と底部材２との止着手段は、ホッチキス止めや接着などの簡易止着手段であるから容易に構成可能であり秀れた量産性を発揮する。
【００３０】
また、本実施例では、前記胴周部材１の底部に平板状態とした前記底部材２が底方向へ移動することを阻止する底部材用係止部７を設けている。
【００３１】
具体的には、胴周部材１の底部内面の周方向の全周に係止部形成用部材７Ａを止着し、この係止部形成用部材７Ａの前記胴周部材１の底部内面より厚み分突出した上縁部７Ｂに底部材２の周縁部下面が係止することで、底部材２が底方向へ移動することを阻止する構成としている。即ち、係止部形成用部材７Ａの厚みによって、係止度合いが変化し、係止部形成用部材７Ａの厚みが厚いほど係止強度が高くなる構成としている。
【００３２】
また、本実施例では、胴周部材１の底部内面の周方向の全周に底部材２の周縁部が係止し得る係止溝７Ｃを設け、この係止溝７Ｃに底部材２の周縁部が係止することでも底部材２が底方向へ移動することを阻止する構成としている。
【００３３】
即ち、本実施例では、係止部形成用部材７Ａと係止溝７Ｃとによる底部材用係止部７を構成した場合を示している。
【００３４】
更に詳しく説明すると、係止部形成用部材７Ａは、図２，図３に示すような所定厚の紙材製の一本の帯板により構成し、この帯板状の係止部形成用部材７Ａを胴周部材１の底部内面の全周にホッチキスや接着剤などを利用した簡易止着手段により止着している。従って、この係止部形成用部材７Ａも簡易なホッチキス止めや接着により止着するから容易に構成可能となる。
【００３５】
また、この係止部形成用部材７Ａの厚みは、胴周部材１の底部内面より突出する上縁部７Ｂが、平板状とした底部材２を良好に係止し得る厚みに設定している。
【００３６】
係止溝７Ｃは、その溝幅を底部材２の周縁部が略合致する溝幅に設定し、且つ平板状とした底部材２の周縁部を良好に係止し得るように溝の深さ（没度）を設定している。
【００３７】
従って、この係止部形成用部材７Ａの上縁部７Ｂ及び前記係止溝７Ｃで平板状の底部材２を確固に係止することで、この底部材２が底方向に突出すること、即ち、底部材２が逆に折り返されることを確実に防止することができ、これにより扁平折り畳み状態から底部材２を無造作に底方向へ向けて押動しても、確実に底部材２が平板状となる底付容体４を形成することができることとなる。即ち、扁平折り畳み状態から単に底部材２を下方へ押動するだけで底付容体４が形成される展開操作が極めて容易な構成となる。
【００３８】
また、この係止部形成用部材７Ａは、一部が縦折り縁６上に存しているが、この係止部形成用部材７Ａ自体が屈曲自在な紙材製であるから、胴周部材１の二つ折り重合に何ら不都合を与えることはない。
【００３９】
また、図４は、本発明を蓋５に適用した場合を示している。
【００４０】
具体的には、これまでに説明してきた底付容体４を上下逆にひっくり返した構成とすることで、底部材２を蓋板５Ａとした蓋５を構成している。
【００４１】
従って、この蓋５も前述の底付容体４と同様に、扁平状態に折り畳みできる構成としている。
【００４２】
また、胴周部材１の内径を底付容体４の外径よりもやや大きくし、且つ胴周部材１の高さを底付容体４の高さよりも低く設定することで、前記底付容体４の上部開口部を閉塞し得る円筒状の蓋５に構成している。
【００４３】
尚、本実施例の底付容体４並びに蓋５は、紙材製とした場合を示したが、例えばＰＥ，ＰＰ，ＰＥＴ，発泡板などの折り畳み可能な柔軟素材を用いて構成しても良い。また、その他の素材により構成しても良いが、前記のような素材で構成すると廉価で、資源循環性，生産性に秀れ、且つ蒸し調理や電子レンジ，オーブンレンジにも対応する利便性のある構成となるので望ましい。
【００４４】
また、本実施例では、胴周部材１を円筒型とした場合を示したが、例えば角筒型や舟型，楕円型などの変形筒状に構成しても良い。尚、請求項１中の「筒状」なる記載は、円筒に限られるものではなく、角筒型や楕円型等の変形筒状なども含む意味合いで用いているものである。
【００４５】
また、本実施例では、係止部形成用部材７Ａと係止溝７Ｃとから成る底部材用係止部７を構成した場合を示したが、この係止部形成用部材７Ａのみを設けて底部材用係止部７を構成しても良い。
【００４６】
また、本実施例では図示していないが、例えば胴周部材１に形成する縦折り縁６に沿って係止溝を設け、この係止溝に、底付容体内を二分する仕切板を着脱自在に設けても良く、このように構成することで、底付容体の仕切られた収納部に夫々異なる物を収納することができる。
【００４７】
また、胴周部材１の上部外面に蓋係止溝を設けて、この蓋係止溝に前記蓋５若しくはその他の構造の蓋の内周面に設けた係止凸部を係止することで底付容体に対して簡単に蓋が開いてしまうことのない構成としても良い。
【００４８】
尚、本発明は、本実施例に限られるものではなく、各構成要件の具体的構成は適宜設計し得るものである。
【００４９】
【発明の効果】
本発明は上述のように構成したから、折り畳み操作も展開操作も極めて容易に行うことができるし、展開操作にあっては平板状に展開した底部材が底部材用係止部に係止してこの底部材が底方向へ突出することを確実に防止するので、何の気がねもなく無造作に底部材を底方向へ単に押動展開するだけのワンタッチ操作で確実に底付容体又は蓋を形成（展開）することができ、しかもコンパクトな折り畳み状態にできることで搬送コストをより安価に抑えることができ、その上簡易構造で容易に設計実現可能な構成であり、量産性に秀れ、安価な製品を提供可能である極めて実用性に秀れた画期的な折り畳み容器又は折り畳み蓋となる。
【００５０】
また、本発明においては、単に厚みのある帯板（係止部形成用部材）を胴周部材の内面に止着するだけで、前記作用効果を確実に発揮する前記底部材用係止部を容易に形成することができ、しかもこの帯板の厚みを厚くすることで底部材の係止強度を更に高めることも容易に可能となり、また、この係止部形成用部材は前記底部材の突出端部を差し込み止着するための間隙形成部材となるなど一層実用性に秀れた折り畳み容器又は折り畳み蓋となる。
【図面の簡単な説明】
【図１】  本実施例の底付容体及びその折り畳み状態（想像線）を示す説明斜視図である。
【図２】  本実施例の底付容体を下方から見た斜視図である。
【図３】  本実施例の折り畳み状態から展開（完成）状態に至るまでの作動を示す説明図である。
【図４】  本実施例の蓋を示す説明斜視図である。
【符号の説明】
１  胴周部材
２  底部材
２Ａ  突出端部（突片）
３  中央折り縁
４  底付容体
５  蓋
５Ａ  蓋板
６  縦折り縁
７  底部材用係止部
７Ａ  係止部形成用部材
７Ｂ  上縁部
【図１】
0004847655.tif 000002
【図２】
0004847655.tif 000003
【図３】
0004847655.tif 000004
【図４】
0004847655.tif 000005